(57)【特許請求の範囲】
【請求項１】
メインケース、前記メインケースの内部に収納されて回路を開閉する機構部を有する開閉機構、回路の異常電流を検出すると前記開閉機構が回路遮断位置に動作するようにトリガするトリップ機構、及び前記メインケースに着脱可能に取り付けられる付属装置を備える配線用遮断器において、
前記付属装置が前記メインケースに取り付けられる場合に前記付属装置の少なくとも一部との接触により前記開閉機構が遮断されるようにする遮断手段を備え、
前記開閉機構に含まれて回路が接続された状態を維持するラッチと、
前記ラッチの移動を拘束又は解除するラッチホルダーと、
前記トリップ機構に回動可能に取り付けられてその回動方向に従って前記ラッチホルダーを拘束又は解除するネールとをさらに含み、
前記遮断手段は、前記ネールに一体に形成される突起部と、前記付属装置に形成されるレバーとを含むことを特徴とする配線用遮断器。
【請求項２】
前記突起部は、前記メインケースに対して前記付属装置が取付位置に接近すると、前記レバーと接触して前記ネールを解除方向に回動させ、前記付属装置が前記取付位置に配置されると、前記レバーと接触しないように形成されることを特徴とする請求項１に記載の配線用遮断器。
【請求項３】
前記突起部は、前記ネールの一側から突設されることを特徴とする請求項１に記載の配線用遮断器。
【請求項４】
前記レバーは、前記付属装置の側面に形成され、前記付属装置が取付位置に配置されると前記突起部の下部に配置されることを特徴とする請求項３に記載の配線用遮断器。
【請求項５】
前記突起部は、前記ネールの一側から上向きに傾斜して延びることを特徴とする請求項３に記載の配線用遮断器。
【発明の詳細な説明】
【技術分野】
【０００１】
本発明は、配線用遮断器に関し、特に、過電流や異常電流が流れた場合に通電を遮断する配線用遮断器に関する。
【背景技術】
【０００２】
一般に、配線用遮断器は、工場やビルなどの受配電設備のうち主に配電盤に設置され、無負荷状態では、負荷側に電源を供給又は遮断する開閉装置の役割を果たし、負荷使用中は、負荷電路に異常が発生して負荷電流を超える大電流が流れた場合に電路の電線及び負荷側機器を保護するために、電源側から負荷側に供給される電源を供給又は遮断する遮断器の役割を果たす。
【０００３】
このような配線用遮断器は、フレームのサイズ、極数、動作方式などが異なり、様々な構造のものが製作されており、モールドケース、接触子、トリップ装置、開閉機構、消弧装置、端子などを基本的な要素として構成される。
【０００４】
図５は従来の配線用遮断器を示す斜視図であり、図６は図５に示す配線用遮断器の分解斜視図である。一方、図７は図６に示す開閉機構部の拡大斜視図であり、図８Ａ及び図８Ｂは図６に示す開閉機構部の動作を説明するための概略図である。
【０００５】
開閉用ハンドル１５を投入して遮断器をオンした状態でトリップボタン３を用いて遮断器をトリップさせる場合、図８Ａに矢印で示すようにトリップボタン３のヘッド部に押圧力を加えると、補助カバー５の設置孔２を貫通して設けられたトリップボタン３が下降し、開閉機構部を構成するネール７の斜面７ａを押圧する。
【０００６】
これにより、サイドプレート８の負荷側先端にヒンジ結合されたネール７は、ヒンジ軸６ａを中心に図の時計方向に回動し、図８Ｂに示すような状態となる。このとき、ラッチホルダー９にホードされていたラッチ１０は、メインスプリング（図示せず）の復元力により解放され、回動中心１２を軸として反時計方向に回動する。従って、リンク機構の連動作用により、メインシャフト１６に設けられた可動接触子１３が固定接触子１４から離隔し、遮断器のトリップが行われる。
【０００７】
一方、このような従来の配線用遮断器においては、遮断器のオン・オフ・トリップの状態を通知する補助スイッチや警報スイッチなどの補助接点類、回路の電圧が低くなったときに動作するＵＶＴ（Under Voltage Trip device）、遠方で遮断器をトリップさせるシャントトリップコイルなどの外部付属装置を、遮断器本体に取り付けて使用する。
【発明の概要】
【発明が解決しようとする課題】
【０００８】
このような従来の配線用遮断器に付属装置を取り付けるためには、必ずオフ状態又はトリップ状態で作業を行わなければならないが、使用者が誤って電源をオフすることなく作業を行った場合は、事故が発生するだけでなく、前記ネールの機構部と付属装置との干渉などによりネールが破損する恐れがある。
【０００９】
本発明は、このような従来技術の問題を解決するためになされたもので、付属装置の締結時に遮断器をオフしなくても、付属装置が締結されると自動で遮断器がオフされるようにした配線用遮断器を提供することを目的とする。
【課題を解決するための手段】
【００１０】
上記目的を達成するための本発明の一態様によれば、メインケース、前記メインケースの内部に収納されて回路を開閉する機構部を有する開閉機構、回路の異常電流を検出すると前記開閉機構が回路遮断位置に動作するようにトリガするトリップ機構、及び前記メインケースに着脱可能に取り付けられる付属装置を備える配線用遮断器において、前記付属装置が前記メインケースに取り付けられる場合に前記付属装置の少なくとも一部との接触により前記開閉機構が遮断されるようにする遮断手段を備えることを特徴とする配線用遮断器が提供される。
【００１１】
本発明の上記態様においては、前記付属装置を締結するために前記メインケース内に配置する過程で、前記付属装置の一部との接触により前記開閉機構が強制的に遮断されるようにしている。
【００１２】
前記配線用遮断器は、前記開閉機構に含まれて回路が接続された状態を維持するラッチと、前記ラッチの移動を拘束又は解除するラッチホルダーと、前記トリップ機構に回動可能に取り付けられてその回動方向に従って前記ラッチホルダーを拘束又は解除するネールとをさらに含み、前記遮断手段は、前記ネールに一体に形成される突起部と、前記付属装置に形成されるレバーとを含んでもよい。
【００１３】
また、前記突起部は、前記メインケースに対して前記付属装置が取付位置に接近すると、前記レバーと接触して前記ネールを解除方向に回動させ、前記付属装置が前記取付位置に配置されると、前記レバーと接触しないように形成されてもよい。ここで、取付位置とは、前記付属装置が前記メインケースに対して締結を完了した状態での前記付属装置の位置を意味する。
【００１４】
また、前記突起部は、前記ネールの一側から突設されてもよい。
【００１５】
また、前記レバーは、前記付属装置の側面に形成され、前記付属装置が取付位置に配置されると前記突起部の下部に配置されるようにしてもよい。
【００１６】
また、前記突起部は、前記ネールの一側から上向きに傾斜して延びてもよい。
【発明の効果】
【００１７】
このような構成を有する本発明の態様によれば、付属装置の締結時に作業者が遮断器をオフしなくても、自動で遮断器がオフされるので、事故の発生を防止するだけでなく、ネールなどの機構的損傷も防止することができる。
【図面の簡単な説明】
【００１８】
【図１】本発明の一実施形態による配線用遮断器を示す斜視図である。
【図２】図１に示す配線用遮断器のトリップ機構部の拡大斜視図である。
【図３】図１に示す配線用遮断器の作動過程の概略斜視図である。
【図４】図１に示す配線用遮断器の作動過程の概略図である。
【図５】従来の配線用遮断器を示す斜視図である。
【図６】図５に示す配線用遮断器の分解斜視図である。
【図７】図６に示す開閉機構部の拡大斜視図である。
【図８Ａ】図５に示す配線用遮断器においてトリップボタンが下降する前の状態を示す概略図である。
【図８Ｂ】図５に示す配線用遮断器においてトリップボタンが下降した後の状態を示す概略図である。
【発明を実施するための形態】
【００１９】
以下、添付図面を参照して本発明による配線用遮断器の実施形態について詳細に説明する。
【００２０】
図１は本発明の一実施形態による配線用遮断器を示す斜視図であり、図２は図１に示す配線用遮断器の内部構造を示す斜視図である。図１及び図２に示すように、配線用遮断器１００は、長方形のメインケース１０２と、メインケース１０２を覆うカバー１０４とを含む。また、カバー１０４には、前述したような付属装置を取り付ける際に除去される補助カバー１０６が設けられている。
【００２１】
使用者が任意に遮断器を操作できるようにするハンドル１１０は、補助カバー１０６から突出するように備えられる。また、ハンドル１１０の下部には、一対の固定接触子１１２、１１３、及び固定接触子１１２、１１３に接離する位置に移動可能な可動接触子１１４が配置されている。可動接触子１１４は、図示のようなトリップ機構部によりトリップ動作を行うものであり、前記トリップ機構部の作動方式としては周知の方式を採用してもよいので、その詳細な説明は省略する。
【００２２】
一方、ハンドル１１０の左右には、一対の側板１２０がそれぞれ配置される。側板１２０は、前記トリップ機構部の各種構成要素が支持されるベースの役割を果たす。側板１２０の後側（図１の右側）には、ネール１３０が側板１２０に対して回動可能に取り付けられる。ネール１３０は、その下方に位置するラッチの回動を拘束できるように配置され、従って、可動接触子１１４が回動して固定接触子１１２、１１３に接離するようにする。
【００２３】
より具体的には、ネール１３０は、側板１２０に固定されるヒンジ軸１３２と、ヒンジ軸１３２の両端からそれぞれ延びる第１及び第２アーム１３４、１３６とを含み、第１アーム１３４の端部側面には、上向きに傾斜して延びる突起部１３８が形成されている。突起部１３８は、後述する付属装置の側面に形成されるレバーと連動してネール１３０を回動させることにより、遮断器がオフされるように動作させる役割を果たす。
【００２４】
図３は本実施形態の配線用遮断器に付属装置１４０が取り付けられる途中の状態を示す概略図である。図３を参照すると、付属装置１４０の側面には、突起部１３８に向かってレバー１４２が突設されており、レバー１４２は、本実施形態の配線用遮断器を上から見たとき、突起部１３８と交差するように延びている。
【００２５】
よって、図３に示すように、付属装置１４０を取り付ける際には、前記メインケースに対して下方に挿入するが、この過程で、付属装置１４０のレバー１４２がネール１３０の突起部１３８の上面と接触する。付属装置１４０を取付位置までさらに挿入すると、レバー１４２が突起部１３８を押圧し、ネール１３０がヒンジ軸１３２を中心に時計方向（図３の矢印方向）に回動する。
【００２６】
つまり、突起部１３８の上面が傾斜面からなるので、レバー１４２が前記傾斜面に沿ってスライドすることにより、ネール１３０が時計方向に回動して前記ラッチを解除し、遮断器がオフされるように駆動される。その後、付属装置１４０が取付位置に完全に配置されると、レバー１４２が突起部１３８の上面後端部を通過してレバー１４２と突起部１３８との接触が解除されるので、ネール１３０は元の位置に復帰する。
【００２７】
ここで、レバー１４２は、付属装置１４０が取付位置にある場合は、突起部１３８の下部に配置されるので、ネール１３０が回動しても突起部１３８とレバー１４２との接触が防止される。
【００２８】
従って、遮断器がオン状態の場合に作業者が付属装置１４０を取り付けても、付属装置１４０のレバー１４２とネール１３０の突起部１３８との相互作用によりネール１３０が遮断器をオフするので、事故の発生及びネールの損傷を最小限に抑えることができる。
【符号の説明】
【００２９】
１００    配線用遮断器
１０２    メインケース
１０４    カバー
１０６    補助カバー
１１０    ハンドル
１１２、１１３    固定接触子
１１４    可動接触子
１２０    側板
１３０    ネール
１３２    ヒンジ軸
１３４    第１アーム
１３６    第２アーム
１３８    突起部
１４０    付属装置
１４２    レバー
【図１】
0005426702.tif 000002
【図２】
0005426702.tif 000003
【図３】
0005426702.tif 000004
【図４】
0005426702.tif 000005
【図５】
0005426702.tif 000006
【図６】
0005426702.tif 000007
【図７】
0005426702.tif 000008
【図８Ａ】
0005426702.tif 000009
【図８Ｂ】
0005426702.tif 000010